(57)【要約】    【課題】基板ケース等に収容されているか否かを問わず、回路基板の反装着面側にピアノ線、その他の不正部材を挿入して導体部分を短絡する等の不正行為を効果的に防止できるようにする。    【解決手段】回路基板４９の電子部品５２，９４が装着された装着面５１と反対の反装着面５３に、電子部品５２，９４のリード５５、回路パターン５４等を覆う裏カバー５６を備える。裏カバー５６は固定具５８を有し、該固定具５８を回路基板４９の通孔５９に挿入して装着面５１側のハンダ付け部６０により回路基板４９に固定する。裏カバー５６はその周壁部６３の略全周が回路基板４９の反装着面５３に当接している。【選択図】  図５
2011045405.tif 000002
【特許請求の範囲】
【請求項１】
電子部品（５２，９４）が装着された回路基板（４９）を有する遊技機において、前記回路基板（４９）の前記電子部品（５２，９４）が装着された装着面（５１）と反対の反装着面（５３）に、前記電子部品（５２，９４）のリード（５５）、回路パターン（５４）等の導体部分（５４，５５）を覆う裏カバー（５６）を備えたことを特徴とする遊技機。
【請求項２】
前記裏カバー（５６）は前記導体部分（５４，５５）の少なくとも前記反装着面（５３）から突出するリード（５５）を覆うことを特徴とする請求項１に記載の遊技機。
【請求項３】
前記裏カバー（５６）はその周壁部（６３）の略全周が前記回路基板（４９）の前記反装着面（５３）に当接することを特徴とする請求項１又は２に記載の遊技機。
【請求項４】
前記裏カバー（５６）は固定具（５８）を有し、該固定具（５８）を前記回路基板（４９）の通孔（５９）に挿入して前記装着面（５１）側のハンダ付け部（６０）により前記回路基板（４９）に固定したことを特徴とする請求項１〜３の何れかに記載の遊技機。
【請求項５】
前記回路基板（４９）を前記反装着面（５３）側からその略全体を覆う基板取り付け部（４８）に取り付け、前記回路基板（４９）の前記反装着面（５３）側への不正行為用部材の挿入を阻止する周壁部（６８，７５）を設けたことを特徴とする請求項１〜４の何れかに記載の遊技機。
【発明の詳細な説明】
【技術分野】
【０００１】
本発明は、スロットマシン、パチンコ機等の遊技機に関するものである。
【背景技術】
【０００２】
スロットマシン、パチンコ機等の遊技機では、電子部品を備えた回路基板が多く使用されている。この種の回路基板は基板ケースに収容し、基板ケースを開封してＲＯＭを交換する等の不正行為をすれば、基板ケース自体に開封の痕跡が残るように封止手段により封止する等、不正行為の防止対策が講じられている（特許文献１、２）。
【０００３】
また発熱量の大きな電子部品を備えた回路基板を収容する場合には、その電子部品に対応する側に放熱用の通気孔が形成された基板ケースを使用する一方、通気孔からピアノ線等を挿入して電子部品を不正に操作する等の不正行為を防止するように、電子部品を通気孔側から覆うカバーを回路基板に設ける等の対策を講じたものもある（特許文献３）。
【先行技術文献】
【特許文献】
【０００４】
【特許文献１】特開平１０−２４９０２１号公報
【特許文献２】特開平１１−２３９６５０号公報
【特許文献３】特開２００９−５７３９号公報
【発明の概要】
【発明が解決しようとする課題】
【０００５】
このように基板ケースに収容する回路基板の場合には、従来から多くの不正行為の防止対策が講じられている。しかし、回路基板の中には中継回路基板等のように基板ケースに収容せずに遊技機本体の所定箇所に装着されたものもあるが、それらに対する不正行為の防止対策は必ずしも十分とはいえない。
【０００６】
例えば中継回路基板の場合には複数個のコネクタを備え、そのコネクタに接続されたハーネスを介して主制御基板と副制御基板等の回路基板相互を接続し、また各スイッチと主制御基板とを接続している。
【０００７】
しかし、中継回路基板の場合には、遊技機本体の支持壁等で裏側が覆われるように支持壁等に設けられた基板取り付け部に中継回路基板を固定し、この中継回路基板のコネクタ等の装着面側に、そのコネクタ以外の導体部分を覆う保護カバーを設ける程度であって、中継回路基板の装着面と反対の反装着面側にはピアノ線等を比較的容易に挿入できる構造になっている。
【０００８】
このため中継回路基板のコネクタ等の装着面側からの不正行為は困難であるが、中継回路基板の反装着面側にピアノ線等を挿入して、中継回路基板の反装着面側から突出する多数のリードの内、その対応するリード同士を短絡する等の不正行為を未然に防止できないという問題がある。
【０００９】
本発明は、このような従来の問題点に鑑み、基板ケース等に収容されているか否かを問わず、回路基板の反装着面側にピアノ線、その他の不正部材を挿入して導体部分を短絡する等の不正行為を効果的に防止できる遊技機を提供することを目的とする。
【課題を解決するための手段】
【００１０】
本発明は、電子部品５２，９４が装着された回路基板４９を有する遊技機において、前記回路基板４９の前記電子部品５２，９４が装着された装着面５１と反対の反装着面５３に、前記電子部品５２，９４のリード５５、回路パターン５４等の導体部分５４，５５を覆う裏カバー５６を備えたものである。
【発明の効果】
【００１１】
本発明では、回路基板４９の電子部品５２，９４が装着された装着面５１と反対の反装着面５３に、電子部品５２，９４のリード５５、回路パターン５４等の導体部分５４，５５を覆う裏カバー５６を備えているので、基板ケース等に収容されているか否かを問わず、回路基板４９の反装着面５３側にピアノ線、その他の不正部材を挿入して導体部分５４，５５を短絡する等の不正行為を効果的に防止できる利点がある。
【図面の簡単な説明】
【００１２】
【図１】本発明の第１の実施形態を示すスロットマシンの斜視図である。
【図２】同筐体側の正面図である。
【図３】同前面パネルの下部側の背面図である。
【図４】同中継回路基板ユニットの背面図である。
【図５】同中継回路基板ユニットを含む要部の断面図である。
【図６】同中継回路基板の正面図である。
【図７】（ａ）（ｂ）は裏カバーの取り付け部の断面図である。
【図８】同裏カバーの斜視図である。
【図９】本発明の第２の実施形態を示す要部の断面図である。
【図１０】本発明の第３の実施形態を示し、（ａ）は裏カバーの取り付け部の断面図、（ｂ）はその斜視図である。
【図１１】本発明の第４の実施形態を示し、（ａ）は裏カバーの取り付け部の断面図、（ｂ）はその斜視図である。
【図１２】本発明の第５の実施形態を示す要部の断面図である。
【図１３】同斜視図である。
【図１４】本発明の第６の実施形態を示す要部の断面図である。
【図１５】同斜視図である。
【図１６】本発明の第７の実施形態を示す要部の断面図である。
【図１７】本発明の第８の実施形態を示す要部の断面図である。
【図１８】同斜視図である。
【図１９】本発明の第９の実施形態を示す要部の断面図である。
【図２０】本発明の第１０の実施形態を示す要部の断面図である。
【発明を実施するための形態】
【００１３】
以下、本発明の実施例を図面に基づいて詳述する。図１〜図８は本発明をスロットマシンに採用した第１の実施例を例示する。図１〜図３において、１は遊技機本体であり、前側が開放する箱形の筐体２と、この筐体２の前側に開閉自在に装着された矩形状の前面パネル３とを備えている。
【００１４】
筐体２内には、図２に示すように、その上部に主制御基板ケース４が、中間部に左右方向に複数個の図柄表示リール５ａ〜５ｃを有する表示リールユニット６が夫々配置され、また下部にメダル払い出し手段７とメダルホッパー８とメダル補助ケース９と電源基板ケース１０とが配置されている。
【００１５】
主制御基板ケース４は主制御基板１１を収容した状態で封止手段１２により封止され、筐体２の背板１３側の上部に装着されている。表示リールユニット６は筐体２の側板１４間に支架された中間棚１５上に着脱自在に装着されており、この表示リールユニット６の図柄表示リール５ａ〜５ｃが回転することにより、複数個の遊技図柄を変動表示可能である。
【００１６】
メダル払い出し手段７は筐体２の底板１６上に装着され、メダルホッパー８内のメダルを払い出し口７ａから前方へと払い出すようになっている。メダルホッパー８はメダル払い出し手段７の上側に装着されている。メダル補助ケース９、電源基板ケース１０はメダル払い出し手段７の左右で底板１６上に配置されている。なお、メダル補助ケース９はメダルホッパー８から溢れたメダルを貯留するためのものである。
【００１７】
前面パネル３は骨格体を構成するパネル枠１７を備え、そのパネル枠１７が左右一端側で上下一対のヒンジを介して筐体２に開閉、着脱自在に装着されている。前面パネル３の上部側には、第１表示窓１９と第２表示窓２０とが上下に配置され、これらの左右両側に縦長状の演出ランプ２１が配置されている。また前面パネル３の上下方向の中間部には、上操作パネル２２と、前操作パネル２３と、装飾パネル２４を有する前カバー２５とが配置され、その前カバー２５の下部にメダル排出口２６とメダル受け皿２７と灰皿２８とスピーカ２９等が配置されている。
【００１８】
第２表示窓２０は筐体２側の図柄表示リール５ａ〜５ｃに対応して矩形状に形成されており、遊技者はこの第２表示窓２０を介して図柄表示リール５ａ〜５ｃを前側から視認可能となっている。第１表示窓１９は第２被窓２０の上側に配置されており、この第１表示窓１９に対応して前面パネル３の裏側に液晶表示ユニット３０が装着されている。
【００１９】
上操作パネル２２は前下りに傾斜する横長状であり、この上操作パネル２２には、その左右方向の一端側に１ベットボタン３３とマックスベットボタン３４とキャンセルボタン３５とが設けられ、他端側に遊技媒体としてのメダルを投入可能なメダル投入口３６が設けられている。１ベットボタン３３、マックスベットボタン３４は、メダル投入口３６へのメダル投入に代えてクレジットからメダルをベットするためのものである。
【００２０】
前操作パネル２３には、図柄表示リール５ａ〜５ｃの回転を開始させるためのスタートレバー３８と、回転中の図柄表示リール５ａ〜５ｃを夫々個別に停止させるためのストップボタン３９ａ〜３９ｃと、メダル投入口３６内に詰まったメダルを返却させるための返却ボタン４０等が設けられている。
【００２１】
前面パネル３の裏側下部には、図３に示すようにメダル投入口３６から投入されたメダルの正偽を選別するセレクター４１と、セレクター４１を通過した正規のメダルをメダルホッパー８へと案内するメダルシュート４２と、セレクター４１で除去された不正メダルをメダル排出口２６を経てメダル受け皿２７へと返却する返却通路４３と、メダルシュート４２の一側方に配置された中継回路基板ユニット４４とがパネル枠１７の裏面に装着されている。
【００２２】
パネル枠１７には、上操作パネル２２、前操作パネル２３の下側で前カバー２５の裏側に対応する部分に、図３〜図５に示すように後下がりに傾斜する傾斜壁４６と、この傾斜壁４６から下側に延びる支持壁４７とが設けられており、その支持壁４７の前側に装飾パネル２４を照明する照明灯（図示省略）が設けられ、また支持壁４７の裏側上部に中継回路基板ユニット４４用の基板取り付け部４８が設けられている。
【００２３】
中継回路基板ユニット４４は図４、図５に示すように左右方向に長い矩形状の中継回路基板４９と、この中継回路基板４９を支持壁４７と反対側から覆う保護カバー５０とを備え、基板取り付け部４８に裏側から着脱自在に取り付けられている。
【００２４】
中継回路基板４９の背面側の装着面５１には、コネクタ５２と回路パターン（図示省略）とが装着され、また装着面５１と反対側の反装着面５３には、図５、図６に示すように回路パターン５４と、コネクタ５２のリード５５を覆う裏カバー５６とが設けられている。そして、この中継回路基板４９は装着面５１の回路パターン５４を覆う保護カバー５０に嵌合されて、その保護カバー５０と共に基板取り付け部４８に取り付けられている。
【００２５】
中継回路基板４９の装着面５１には、例えば上縁側の中央に１個のコネクタ５２が、下縁側に一列状に複数個のコネクタ５２が配置される等、中継回路基板４９の外周縁近傍に複数個のコネクタ５２が装着されており、そのリード５５が反装着面５３側に突出して回路パターン５４にハンダ付けされている。なお、装着面５１の回路パターンはなくてもよい。また装着面５１側にはコネクタ５２以外の他の電子部品を装着してもよい。
【００２６】
コネクタ５２のリード５５を覆う裏カバー５６は、この実施形態では上縁側の１個のコネクタ５２と、下縁側に一列状に設けられた複数個のコネクタ５２とに対応して２個設けられ、長手方向の両端部を含む複数個の固定具５８を中継回路基板４９の通孔５９に挿入し装着面５１側のハンダ付け部６０をハンダ付けすることにより中継回路基板４９に固定されている。
【００２７】
各裏カバー５６は図５〜図７に示すように、１個又は複数個のコネクタ５２の多数のリード５５を覆う大きさの覆い部５７を有し、その覆い部５７には中継回路基板４９側に対向して凹入状に形成され且つリード５５が嵌合する凹部６２と、この凹部６２を取り囲む周壁部６３とが設けられ、中継回路基板４９に装着されたときに周壁部６３の略全周が中継回路基板４９の反装着面５３に当接するようになっている。
【００２８】
例えば複数個のコネクタ５２に対応する下縁側の裏カバー５６には、図８に示すように、長手方向の両端部とコネクタ５２間の中間部とに保持部６４が形成され、その保持部６４に反装着面５３と反対側から固定具５８が挿入されている。保持部６４間に凹部６２があり、各保持部６４は凹部６２を取り囲む周壁部６３の一部に設けられている。
【００２９】
固定具５８はハンダ付け可能な金属製であって、図７に示すように、保持部６４内に挿入されて裏カバー５６に係合する係合部６５と、保持部６４から中継回路基板４９側に突出する突出部６６とを有し、その突出部６６が中継回路基板４９の通孔５９に挿入され装着面５１側のハンダ付け部６０により中継回路基板４９に固定されている。
【００３０】
上縁側の１個のコネクタ５２に対応する裏カバー５６は短いので、その長手方向の両端部が固定具５８により中継回路基板４９に固定されている。なお、固定具５８は裏カバー５６の幅方向の両側に設けてもよい。また固定具５８は裏カバー５６の成型時にインサート成型してもよい。
【００３１】
保護カバー５０は、図４、図５に示すように中継回路基板４９が嵌合する周壁部６８と、中継回路基板４９のコネクタ５２を除く装着面５１側の略全体を覆う覆い部６９と、コネクタ５２に対応して設けられ且つ中継回路基板４９の装着面５１に近接する段部７０とを一体に備え、覆い部６９から突出するボス部７１が中継回路基板４９にネジ７２等で固定されている。段部７０は中継回路基板４９の装着面５１の回路パターンを覆うようになっており、この段部７０にコネクタ５２が突出する開口７３が設けられている。
【００３２】
なお、開口７３の周縁は中継回路基板４９の装着面５１側の回路パターンに対する不正行為を防止すべくコネクタ５２に近接している。中継回路基板４９の装着面５１に装着されるコネクタ５２、回路パターン、電子部品等の内、コネクタ５２を除く回路パターン、電子部品等が保護カバー５０の覆い部６９に対応する部分に集中して配置される場合には、段部７０は省略してもよい。
【００３３】
基板取り付け部４８は支持壁４７と、この支持壁４７から中継回路基板４９の反装着面５３の外周縁側に突出する周壁部７５とを備え、中継回路基板４９に対応して左右方向に長い矩形状に構成されている。そして、この基板取り付け部４８は中継回路基板４９の反装着面５３側を覆い、また周壁部７５の外周に保護カバー５０の周壁部６８が外嵌している。
【００３４】
基板取り付け部４８には周壁部７５により取り囲まれた支持壁４７内に取り付けボス７６があり、保護カバー５０の取り付け凹部７７側から中継回路基板４９に挿通されたネジ７８等の固定手段により取り付けボス７６に着脱自在に固定されている。なお、中継回路基板４９、保護カバー５０は係合手段、その他の固定手段により基板取り付け部４８に着脱自在に固定してもよい。
【００３５】
コネクタ５２にはコネクタ７９を介してハーネス８０が着脱自在に接続されている。また中継回路基板ユニット４４の近傍には、図３に示すようにストップボタン３９ａ〜３９ｃ用のスイッチ基板８１、装飾パネル２４用の照明基板８２等が設けられている。
【００３６】
この実施形態では、次のような利点がある。例えば主制御基板１１と他の副制御基板、主制御基板１１とスイッチその他の電気部品とを接続する場合に、中継回路基板４９の対応するコネクタ５２にハーネス８０を接続して、この中継回路基板４９により相互間を中継するが、この実施形態に例示するように中継回路基板４９の反装着面５３側にコネクタ５２のリード５５を覆う裏カバー５６を設けることにより、中継回路基板４９の反装着面５３側にピアノ線、その他の不正行為用の導体を挿入しても、裏カバー５６が邪魔になって対応するリード５５同士を接続することができない。従って、中継回路基板４９の反装着面５３側にピアノ線、その他の導体を挿入して行う不正行為を未然に防止することができる。
【００３７】
またこの実施形態では、中継回路基板４９の反装着面５３の導体部分の内、反装着面５３から突出するリード５５を裏カバー５６で覆うようにしているので、反装着面５３側の略全体を覆う場合に比較して裏カバー５６の大きさを小さくできる。
【００３８】
即ち、中継回路基板４９の反装着面５３には、その反装着面５３から突出するリード５５の他に回路パターン５４がある。しかし、回路パターン５４は反装着面５３に密着して皮膜状に薄く形成されており、外部から挿入した不正行為用の導体により対応する回路パターン５４同士を短絡することは困難である。従って、裏カバー５６によりコネクタ５２の各リード５５を覆うようにしておけば、裏カバー５６の小型化を図りつつ不正行為を防止することができる。
【００３９】
裏カバー５６はその周壁部６３の略全周が中継回路基板４９の反装着面５３側に当接しているため、薄手の不正行為用の導体を挿入することも困難である。特に中継回路基板４９の反装着面５３側は基板取り付け部４８により外周近傍側まで覆われており、しかも基板取り付け部４８の周壁部７５が保護カバー５０の周壁部６８内に嵌合している。このためその隙間から中継回路基板４９の反装着面５３側へと不正行為用の導体を挿入することもできない。
【００４０】
裏カバー５６を中継回路基板４９の反装着面５３側に装着するに際しては、裏カバー５６の保持部６４の固定具５８を中継回路基板４９の通孔５９に挿入して装着面５１側のハンダ付け部６０をハンダ付けすることにより固定する。従って、ハンダ付け処理により中継回路基板４９にコネクタ５２と裏カバー５６とを取り付けることができる。
【００４１】
また裏カバー５６に保持部６４を形成し、その保持部６４に固定具５８を挿入するようにしているので、固定具５８をハンダ付けにより中継回路基板４９に固定するにも拘らず、固定具５８の合成樹脂製の裏カバー５６にインサート成型する必要がなく、固定具５８を含む裏カバー５６を容易且つ安価に製作することができる。
【００４２】
なお、ハンダこてによりハンダ付け部６０を外せば、中継回路基板４９から裏カバー５６を取り外すことができるが、そのためには前面パネル３を開放して中継回路基板４９を基板取り付け部４８から取り外す必要があり、それらの作業を遊技ホールの営業時間中に衆目を避けて秘密裏に行うことは事実上不可能であるので、別段問題はない。
【００４３】
中継回路基板４９の装着面５１の内、開口７３から突出するコネクタ５２とその極近傍を除いて、回路パターン等を保護カバー５０により覆っているので、中継回路基板４９の装着面５１側に対する不正行為はその保護カバー５０により防止することができる。
【００４４】
図９は本発明の第２の実施形態を例示する。この実施形態では、中継回路基板４９の装着面５１側にはコネクタ５２があるが、他に回路パターン、電子部品等は設けられていない。このため第１の実施形態とは異なって中継回路基板４９の装着面５１側には保護カバー５０は設けられていない。
【００４５】
中継回路基板４９は基板取り付け部４８の周壁部７５内に嵌合した状態で、その取り付けボス７６にネジ７８等の固定手段により着脱自在に固定されている。中継回路基板４９の反装着面５３には、第１の実施形態と同様にコネクタ５２のリード５５と回路パターン５４とがあり、そのリード５５を覆う裏カバー５６が設けられている。他の構成は第１の実施形態と同じである。
【００４６】
このように中継回路基板４９の反装着面５３側に、他の回路パターン、電子部品等がない場合には、保護カバー５０は省略してもよい。その場合、中継回路基板４９を基板取り付け部４８の周壁部７５内に嵌合して配置する等により、中継回路基板４９の反装着面５３側への不正行為用の導体の挿入を防止することができる。
【００４７】
また仮に不正行為用の導体を中継回路基板４９の反装着面５３側に挿入し得たとしても、その反装着面５３から突出するリード５５を裏カバー５６により覆っているので、その不正行為用の導体で対応するリード５５同士を短絡する等の不正行為を防止することができる。
【００４８】
図１０（ａ）（ｂ）は本発明の第３の実施形態を例示する。この実施形態では、裏カバー５６の周壁部６３には複数個の係合爪８４が、中継回路基板４９には各係合爪８４に対応する係合孔等の係合部８５が夫々設けられており、その係合爪８４を係合部８５に挿入することにより、裏カバー５６が中継回路基板４９に着脱自在に装着されている。他の構成は第１の実施形態と同じである。このように裏カバー５６は係合手段８４，８５により中継回路基板４９に着脱自在に取り付けてもよい。
【００４９】
図１１（ａ）（ｂ）は本発明の第４の実施形態を例示する。この実施形態では、裏カバー５６の周壁部６３には複数個の圧入突起８６が、中継回路基板４９には各圧入突起８６に対応する圧入孔８７が夫々設けられており、その圧入突起８６を圧入孔８７に挿入することにより、裏カバー５６が中継回路基板４９に着脱自在に装着されている。他の構成は第１の実施形態と同じである。このように裏カバー５６は圧入手段８６，８７により中継回路基板４９に着脱自在に取り付けてもよい。
【００５０】
図１２、図１３は本発明の第５の実施形態を例示する。この実施形態では、裏カバー５６はコネクタ５２のリード５５が入る凹部６２と、その凹部６２を取り囲む周壁部６３と、周壁部６３の長手方向と直交方向の一側に一体に設けられた嵌合部８９とを有する。嵌合部８９は側面視コ字状であって、保護カバー５０の段部７０に形成された切り欠き部９０において、中継回路基板４９のコネクタ５２側の端縁に板面方向の外側から着脱自在に嵌合している。
【００５１】
なお、裏カバー５６の周壁部６３は基板取り付け部４８の周壁部７５に近接している。また裏カバー５６の周壁部６３は、リード５５と干渉しないように嵌合部８９の反対側が他の部分に比較して若干低くなっている。他の構成は第１の実施形態と同じである。
【００５２】
この実施形態では、中継回路基板４９にコネクタ５２を装着した後、中継回路基板４９を保護カバー５０内に固定する。そして、保護カバー５０の切り欠き部９０内で中継回路基板４９の端縁に裏カバー５６の嵌合部８９を嵌合させて、その凹部６２内にコネクタ５２のリード５５が入るように裏カバー５６を中継回路基板４９に取り付け、その後、裏カバー５６を基板取り付け部４８側にして中継回路基板４９を基板取り付け部４８に固定すればよい。
【００５３】
このようにすれば、第１の実施形態と同様に中継回路基板４９の反装着面５３側に不正行為用の導体を挿入して行う不正行為を防止することができる。裏カバー５６は嵌合部８９を中継回路基板４９の端縁に嵌合しているが、嵌合部８９が保護カバー５０の切り欠き部９０内にあり、また周壁部６３，７５同士が近接しているので、中継回路基板４９を基板取り付け部４８から取り外さない状態では、裏カバー５６を中継回路基板４９から取り外すことはできない。
【００５４】
図１４、図１５は本発明の第６の実施形態を例示する。この実施形態では、中継回路基板４９の反装着面５３側には、そのコネクタ５２のリード５５、回路パターン５４を含む導体部分の全体（略全体）を覆う裏カバー５６が設けられている。裏カバー５６は長手方向の両端部と中間部とに保持部６４が設けられ、その保持部６４内の固定具５８を中継回路基板４９の通孔５９に挿入して装着面５１からハンダ付けすることにより中継回路基板４９に固定される等、第１の実施形態と略同様である。
【００５５】
このように中継回路基板４９の反装着面５３の導体部分の略全体を覆うように裏カバー５６を設けてもよい。この場合にはコネクタ５２のリード５５に対する不正行為の他、回路パターン５４等に対する不正行為も防止することができる。
【００５６】
図１６は本発明の第７の実施形態を例示する。この実施形態では、中継回路基板４９の反装着面５３側のリード５５、回路パターン５４を含む導体部分の全体（略全体）を覆う裏カバー５６を備え、その裏カバー５６と中継回路基板４９と保護カバー５０とをネジ９２により共締めして固定したものである。他の構成は第１の実施形態と同じである。このように裏カバー５６と中継回路基板４９と保護カバー５０との三者をネジ９２により結合してもよい。
【００５７】
図１７、図１８は本発明の第８の実施形態を例示する。この実施形態では、中継回路基板４９の反装着面５３側に、リード５５等の突出導体部分が入る凹部６２を備えた板状の裏カバー５６が接着剤、粘着剤等により装着され、この裏カバー５６により中継回路基板４９の反装着面５３側の導体部分の全体が覆われている。他の構成は第１の実施形態と同じである。
【００５８】
このように中継回路基板４９の反装着面５３側に板状の裏カバー５６を装着してもよい。この場合には、裏カバー５６を含んで１枚の中継回路基板４９として取り扱うことができる。なお、中継回路基板４９と裏カバー５６とはネジ等により着脱自在に結合してもよい。裏カバー５６は中継回路基板４９の反装着面５３側の導体部分の略全体を覆う他、中継回路基板４９のリード５５等の突出導体部分を覆うように部分的に設けてもよい。
【００５９】
図１９は本発明の第９の実施形態を例示する。この実施形態の裏カバー５６は弾性又は可撓性を有するゴムシート等の絶縁シートにより構成され、中継回路基板４９の反装着面５３側の導体部分の略全体を覆うように中継回路基板４９に接着等により装着されている。他の構成は第１の実施形態と同じである。
【００６０】
このように裏カバー５６は絶縁シートを中継回路基板４９の反装着面５３側に貼着してもよい。なお、この裏カバー５６は中継回路基板４９の反装着面５３側の導体部分の略全体を覆う他、中継回路基板４９のリード５５等の突出導体部分を覆うように部分的に設けてもよい。
【００６１】
図２０は本発明の第１０の実施形態を例示する。この実施形態では、第１ケース体９３と第２ケース体９４とを開閉自在に結合された基板ケース９５内に回路基板４９が収容されている。回路基板４９の装着面５１にはＩＣ等の電子部品９６が装着されており、また反装着面５３にはその各電子部品９６のリード５５が突出する他、その各リード５５をハンダ付けにより接続される回路パターン５４等が設けられている。回路基板４９の反装着面５３には、リード５５、回路パターン５４等の導体部分の略全体を覆う裏カバー５６が装着されている。
【００６２】
このように基板ケース９５内に収容される回路基板４９においても、必要に応じてその反装着面５３側の導体部分を覆う裏カバー５６を設けて、その回路基板４９の反装着面５３側の不正行為を防止するようにしてもよい。従って、裏回路基板４９を装着して反装着面５３側の導体部分を保護すべき対象は、基板ケース９５に収容せずに遊技機本体１内に装着される回路基板４９に限定されるものではない。なお、第１ケース体９３に回路基板４９を固定する場合には、第１ケース体９３は基板取り付け部４８を構成することになる。
【００６３】
以上、本発明の実施形態について詳述したが、本発明はこの実施形態に限定されるものではなく、本発明の趣旨を逸脱しない範囲で種々の変更が可能である。例えば、各実施形態では中継回路基板４９を対象に具体的構成を例示しているが、中継回路基板４９以外の各種の回路基板４９においても同様に実施可能であることは云うまでもない。
【００６４】
また回路基板４９の反装着面５３側の導体部分を覆う裏カバー５６の形状、構造は、保護対象である回路基板４９との関係、又は回路基板４９に装着される電子部品との関係、更には基板取り付け部４８との関係等を考慮して適宜変更すればよく、回路基板４９の反装着面５３側の導体部分を不正に短絡する等の不正行為を防止できるものであれば十分である。
【００６５】
また裏カバー５６により回路基板４９の反装着面５３側の導体部分の略全体を覆う場合、反装着面５３側の導体部分の全てを覆う必要はない。例えば多数の回路パターン５４の内、グランド用の回路パターン５４等、それ自体では信号回路を構成しない回路パターン５４が裏カバー５６の外側に露出してもよい。
【００６６】
更にスロットマシンの他、パチンコ機、アレンジボール機等の弾球遊技機においても同様に実施可能である。
【符号の説明】
【００６７】
４９  中継回路基板（回路基板）
５２  コネクタ（電子部品）
５１  装着面
５３  反装着面
５４  回路パターン
５５  リード
５６  裏カバー
５８  固定具
６８，７５  周壁部
【図１】
2011045405.tif 000003
【図２】
2011045405.tif 000004
【図３】
2011045405.tif 000005
【図４】
2011045405.tif 000006
【図５】
2011045405.tif 000007
【図６】
2011045405.tif 000008
【図７】
2011045405.tif 000009
【図８】
2011045405.tif 000010
【図９】
2011045405.tif 000011
【図１０】
2011045405.tif 000012
【図１１】
2011045405.tif 000013
【図１２】
2011045405.tif 000014
【図１３】
2011045405.tif 000015
【図１４】
2011045405.tif 000016
【図１５】
2011045405.tif 000017
【図１６】
2011045405.tif 000018
【図１７】
2011045405.tif 000019
【図１８】
2011045405.tif 000020
【図１９】
2011045405.tif 000021
【図２０】
2011045405.tif 000022